(57)【要約】【課題】建物外周部における基礎スラブの延出寸法を小さく抑え、尚かつ止水処理の面でも外観の面でも好ましい構造とする。【解決手段】束２０のうち当該建物Ａの外周部において基礎スラブ１０の端縁に沿って配置される外周束は、１階床梁３０の下面に当接される上フランジ２０ａと、基礎スラブ１０の上面に当接される下フランジ２０ｂと、上フランジ２０ａおよび下フランジ２０ｂを連結する水平断面十字状のウェブ２０ｃと、からなり、当該建物Ａの外側においては上フランジ２０ａと下フランジ２０ｂの端縁位置が一致し、当該建物の内側においては下フランジ２０ｂが上フランジ２０ａよりも延伸しており、該下フランジ２０ｂが延伸している側のウェブ２０ｃは上フランジ２０ａの端縁から下フランジ２０ｂの端縁にかけて末広がり状に形成されている。【選択図】図９
2011241547.tif 000002
【特許請求の範囲】
【請求項１】
鉄筋コンクリート造の基礎スラブと、該基礎スラブの上面に設置される鋼製の束と、該束に支持される鋼製の１階床梁と、該１階床梁の上面に立設される１階柱と、を備えた建物であって、
前記束のうち当該建物の外周部において前記基礎スラブの端縁に沿って配置される外周束は、
前記１階床梁の下面に当接される上フランジと、前記基礎スラブの上面に当接される下フランジと、前記上フランジおよび下フランジを連結する水平断面十字状のウェブと、からなり、
当該建物の外側においては前記上フランジと下フランジの端縁位置が一致し、
当該建物の内側においては前記下フランジが前記上フランジよりも延伸しており、
該下フランジが延伸している側の前記ウェブは前記上フランジの端縁から前記下フランジの端縁にかけて末広がり状に形成されたことを特徴とする建物。
【請求項２】
前記外周束の下フランジを固定するため前記基礎スラブに設置されているアンカーボルトが、外周通り芯よりも当該建物の内側寄りにオフセットしていることを特徴とする、請求項１に記載の建物。
【請求項３】
前記基礎スラブのうち、前記外周束の下フランジの当接寸法に応じた幅の範囲を地反力に対抗する梁とみなして前記基礎スラブの鉄筋量が設定されていることを特徴とする、請求項１または２に記載の建物。
【請求項４】
鉄筋コンクリート造建物の基礎スラブの上面に設置され、鋼製の１階床梁を支持する鋼製の束であって、
当該束のうち前記建物の外周部において前記基礎スラブの端縁に沿って配置される外周束は、
前記１階床梁の下面に当接される上フランジと、前記基礎スラブの上面に当接される下フランジと、前記上フランジおよび下フランジを連結する水平断面十字状のウェブと、からなり、
前記建物の外側においては前記上フランジと下フランジの端縁位置が一致し、
前記建物の内側においては前記下フランジが前記上フランジよりも延伸しており、
該下フランジが延伸している側の前記ウェブは前記上フランジの端縁から前記下フランジの端縁にかけて末広がり状に形成されたことを特徴とする束。
【請求項５】
前記下フランジが２方向に向けて延伸していることを特徴とする、請求項４に記載の束。
【発明の詳細な説明】
【技術分野】
【０００１】
本発明は、束およびこれを備えた建物に関する。さらに詳述すると、本発明は、鉄筋コンクリート造の基礎スラブの上面に設置される束の構造の改良に関する。
【背景技術】
【０００２】
従来、鉄筋コンクリート造の基礎の立ち上り部分を鉄骨梁に置き換えた基礎（以下「鉄骨基礎」とする）が研究開発されている。鉄骨基礎は、従来の基礎のようにフーチング部分と立ち上り部分に分けてコンクリートを２度打設するという必要がなく、工期の短縮やコストダウンに繋がる。さらに、鉄骨基礎には、天端精度調整がしやすい、柱等の設置位置の自由度が高い、根入れが浅くできる等の利点がある。
【０００３】
鉄骨基礎においては雨水や塵埃の浸入を防止するため、外周部にカバーを設け、また、同様の理由でフーチング上端を地盤面より高く設定するのが一般的であった。また、鉄骨梁が載置されるＲＣ部分には地反力に対抗するための基礎梁としての性能も確保する必要があるので、端縁部をある程度外部方向に延ばし、カバー材はＲＣ部分の縁の部分に載置するのが一般的であった。さらに、鉄骨基礎においては、鉄の使用量を減らすために、例えばコンクリート基礎梁の少なくとも端部に建物の柱を支持する支柱を取り付けるための脚部を形成し、この脚部に支柱を該支柱に作用する力に対抗し得るように一体的に取り付けることもあった（例えば、特許文献１参照）。
【先行技術文献】
【特許文献】
【０００４】
【特許文献１】特開２００１−２６２５８６号公報
【発明の概要】
【発明が解決しようとする課題】
【０００５】
しかしながら、鉄骨基礎を上述のごとき構成とすると、例えば、狭小敷地等で隣地境界との間に十分な離間寸法が確保されない場合、排水管等の配設に支障を来たすことがある。
【０００６】
また、内部の鉄骨部材の防錆のためにカバー材とＲＣ部分との接合部分の止水処理を充分に施す必要がある。
【０００７】
さらには、ＲＣ部分や止水処理部分が地盤面から露出してしまい、外観上好ましいものでない場合もある。
【０００８】
本発明は、建物外周部における基礎スラブの延出寸法を小さく抑えることができ、尚かつ止水処理の面でも外観の面でも好ましい構造とすることができる束およびこれを備えた建物を提供することを目的とする。
【課題を解決するための手段】
【０００９】
かかる課題を解決するべく本発明者は、鉄筋コンクリート造の基礎スラブ上面に設置される鋼製の束に着目しつつ種々の検討を重ね、課題の解決に結び付く新たな知見を得るに至った。本発明はかかる知見に基づくもので、鉄筋コンクリート造の基礎スラブと、該基礎スラブの上面に設置される鋼製の束と、該束に支持される鋼製の１階床梁と、該１階床梁の上面に立設される１階柱と、を備えた建物であって、束のうち当該建物の外周部において基礎スラブの端縁に沿って配置される外周束は、１階床梁の下面に当接される上フランジと、基礎スラブの上面に当接される下フランジと、上フランジおよび下フランジを連結する水平断面十字状のウェブと、からなり、当該建物の外側においては上フランジと下フランジの端縁位置が一致し、当該建物の内側においては下フランジが上フランジよりも延伸しており、該下フランジが延伸している側のウェブは上フランジの端縁から下フランジの端縁にかけて末広がり状に形成されたものである。
【００１０】
建物の基礎スラブにおいては、通りに沿った所定幅の範囲が、束からの荷重が分散する領域となる。かかる基礎スラブにおいては、束の下フランジの端縁から所定の角度（一例として４５度）で引いた斜線（図９中の破線参照）と基礎スラブの底面とが交わる範囲を地反力に対抗する基礎梁とみなして配筋量を算定し、かつ、これ以外の領域については地反力を受ける４辺固定のスラブとみなして配筋量を決定することができる。この点、本発明にかかる建物においては、下フランジが建物の内側に向け延伸した構造の外周束を利用することにより、１階柱から伝達される建物荷重を建物内側方向に流すことができる。これによれば、建物外周部における基礎スラブの延出寸法を小さく抑えることが可能となり、例えば隣地境界との間に十分な離間寸法が確保されない場合であっても、排水管等の配設に支障を来たすようなことがない。さらに、このような構造は、内部の鉄骨部材の防錆のために止水処理を施す場合にも好適である。
【００１１】
かかる建物においては、外周束の下フランジを固定するため基礎スラブに設置されているアンカーボルトが、外周通り芯よりも当該建物の内側寄りにオフセットしていることが好ましい。こうした場合、アンカーボルトの位置が建物の内側寄りになり、アンカーボルトのかぶり厚やアンカーボルトからの縁空き寸法が充分に確保されるので耐久性や強度の上で好ましい。
【００１２】
また、基礎スラブのうち、外周束の下フランジの当接寸法に応じた幅の範囲を地反力に対抗する梁とみなして基礎スラブの鉄筋量が設定されていることも好ましい。これによれば、地反力に対抗する梁とみなせる幅が大きくとれ、基礎スラブの端縁部における必要鉄筋量を抑えることができる。
【００１３】
さらに、本発明にかかる束は、鉄筋コンクリート造建物の基礎スラブの上面に設置され、鋼製の１階床梁を支持する鋼製の束であって、当該束のうち建物の外周部において基礎スラブの端縁に沿って配置される外周束は、１階床梁の下面に当接される上フランジと、基礎スラブの上面に当接される下フランジと、上フランジおよび下フランジを連結する水平断面十字状のウェブと、からなり、建物の外側においては上フランジと下フランジの端縁位置が一致し、建物の内側においては下フランジが上フランジよりも延伸しており、該下フランジが延伸している側のウェブは上フランジの端縁から下フランジの端縁にかけて末広がり状に形成されたものである。
【００１４】
このような構造の束は、１階柱から伝達される建物荷重を建物内側方向に流すことにより、建物外周部における基礎スラブの延出寸法を小さく抑えることを可能とする。また、下フランジが２方向に向けて延伸していることも好ましい。
【発明の効果】
【００１５】
本発明にかかる束およびこれを備えた建物によれば、建物外周部における基礎スラブの延出寸法を小さく抑えることができ、尚かつ止水処理の面でも外観の面でも好ましい構造とすることができる。
【図面の簡単な説明】
【００１６】
【図１】建物の施工時における最初の工程例（根切り、ＰＣ板設置、アンカーボルト設置）を示す斜視図である。
【図２】基礎スラブの配筋工程を示す斜視図である。
【図３】束をアンカーボルトに設置する工程を示す斜視図である。
【図４】鉄骨梁を設置する工程を示す斜視図である。
【図５】水平ブレースを設置する工程を示す斜視図である。
【図６】基礎スラブの外周部に板状断熱材等を設置する工程を示す斜視図である。
【図７】コンクリートを打設する工程を示す斜視図である。
【図８】梁上部躯体を設置する工程を示す斜視図である。
【図９】施工された建物の基礎の一例を示す断面図である。
【図１０】水平ブレースが設置された状態の基礎の一例を示す断面図である。
【図１１】火打を介して水平ブレースが設置された部分の鉄骨梁の構造例を示す平面図である。
【図１２】本発明にかかる外周束の形態例を示す斜視図である。
【図１３】外周束の他の形態例を示す斜視図である。
【図１４】１階床梁に弱軸補強部材が設けられた場合の当該１階床梁や外周束などを示す図である。
【図１５】１階床梁に弱軸補強部材が設けられた場合の当該１階床梁や外周束などの他の形態例を示す図である。
【発明を実施するための形態】
【００１７】
以下、本発明の構成を図面に示す実施の形態の一例に基づいて詳細に説明する。
【００１８】
図９等に本発明の一実施形態を示す。本実施形態において例示する建物Ａは、３０５ｍｍの平面モジュールを有する梁勝ち工法による２階建ての鉄骨造の工業化住宅である。ただし、これはあくまで好適な適用例であって、本発明の適用範囲がこれに限定されるものではない。
【００１９】
建物Ａにおいては、基礎スラブ１０、基礎スラブ１０の上面に載置されて固定された束２０（図３等参照）、束２０で支持された梁（以下、１階床梁ともいう）３０（図４等参照）、１階床梁３０上に載置されて固定された柱（以下、１階柱ともいう）４０（図８参照）、１階柱４０の上端を連結するように配置された２階梁（図示省略）、２階梁上に配置された２階柱（図示省略）、Ｒ階大梁（図示省略）、隣接する２本の柱間に設置された耐力要素等の部材が、直交する基準線（Ｘ方向基準線、Ｙ方向基準線）の中からそれぞれ複数選択された（モジュールの整数倍の間隔となるように設定された）通りに対応して配置されて基本架構が構成されている。さらに、建物Ａにおいては、小梁が適宜架け渡され、各階梁で支持されるＡＬＣからなる床パネルにより各階床が構成され、外周部梁を利用してＡＬＣ（Autoclaved Light-weight Concrete；軽量気泡コンクリート）等からなる外壁パネルや開口パネルが取り付けられて外壁が構成されている。
【００２０】
本実施形態において基礎スラブ１０は全面的にベタ基礎形式となっている。該基礎スラブ１０においては、通りに沿った所定の幅の範囲（束２０からの荷重が分散する範囲であり、例えば、束２０の下フランジの端縁から４５度の角度で引いた斜線（図９中の破線参照）と基礎スラブ１０の底面との交点の範囲）について地反力に対抗する基礎梁とみなして配筋量が算定されている（図９、図１０参照）。これ以外の領域については、地反力を受ける４辺固定のスラブとみなして配筋量が決定されている。なお、本実施形態ではベタ基礎形式の基礎スラブ１０を例示しているが、このようなベタ基礎形式に限定されることはなく、例えば、通りに沿って地耐力に応じた所望の幅を有するフーチング形式とすることもできる。本実施形態の基礎スラブ１０の上端のレベルは、地盤面よりも高く設定されている（図９、図１０参照）。
【００２１】
束２０は基礎スラブ１０の上面に載置されて、該基礎スラブ１０の上端面から突設され、上述の１階床梁３０を支持する（図４等参照）。本実施形態では、基礎スラブ１０に予めアンカーボルト（アンカーフレーム）１１を埋設しておき（図１等参照）、このアンカーボルト１１の上端部に束２０を例えばナットによって接合し、固定する（図３等参照）。束２０は、柱（１階柱４０）から伝達される荷重を基礎スラブ１０に効率よく伝達する役割を有し、少なくとも床梁３０上（通り上）に立設される１階柱４０の直下に設置され、ジョイントボックス２１または１階床梁３０の中間部の下フランジのボルト穴を用いて接合され、１階床梁３０を支持する。
【００２２】
束２０は、アンカーボルト１１の上端部に接合される下フランジ２０ｂと、例えばジョイントボックス２１が接合される上フランジ２０ａと、これら両フランジ２０ａ，２０ｂを結合する横断面（水平断面）が例えば十字状（クロス形状のものを含む）のウェブ２０ｃとで構成されている。上フランジ２０ａにはジョイントボックス２１を接合するための上ボルト穴２０ｄが設けられ、下フランジ２０ｂには当該束２０をアンカーボルト１１の上端部に接合するための下ボルト穴２０ｅが設けられている（図１２、図１３参照）。
【００２３】
このような束２０は、建物Ａの外周部（すなわち外壁寄りの部分）と内周部（すなわち建物Ａの内部寄りの部分）とに適宜配置される。これらのうち、外周部（外通り）において基礎スラブ１０の端縁に沿って配置される束（本明細書では外周束ともいう）２０は、建物外側（建物Ａの外周寄りの部分）においては上フランジ２０ａと下フランジ２０ｂの端縁位置が一致し、建物内側（建物Ａの内部を向いた側）においては下フランジ２０ｂが上フランジ２０ａよりも建物内側に向け延伸しており、延伸側のウェブ２０ｃが上フランジ２０ａの端縁から下フランジ２０ｂの端縁にかけて末広がり状に形成された形状（オフセット形状）となっている（図９、図１２等参照）。また、建物Ａの入隅部および出隅部においては、外壁に沿った２方向について、下フランジ２０ｂが上フランジ２０ａよりも延伸し、延伸側のウェブ２０ｃが上フランジ２０ａの端縁から下フランジ２０ｂの端縁にかけて末広がり状に形成されている外周束２０を採用している（図３、図１３等参照）。
【００２４】
このようなオフセット形状の外周束２０を用いることにより、基礎スラブ１０のより広い範囲に荷重が分散して伝達され、１階床梁３０とみなせる範囲を外周束２０のオフセット方向に対応して建物内側方向にオフセットさせることができる。すなわち、本実施形態では、基礎スラブ１０のうち、外周束２０の下フランジ２０ｂの当接寸法に応じた幅の範囲を地反力に対抗する梁３０とみなして鉄筋量を設定しており、より具体的には、外周束２０の下フランジ２０ｂの端縁から４５度の角度で引いた斜線と基礎スラブ１０の底面との交点の範囲を地反力に対抗する基礎梁とみなして配筋量を算定している。したがって、下フランジ２０ｂが上フランジ２０ａよりも延伸したオフセット形状の外周束２０を用いた場合、当該下フランジ２０ｂが延伸した長さＬの分（図９参照）、基礎スラブ１０の底面との交点の範囲が拡大している（図１０等参照）。これによれば、１階柱４０から伝達される建物荷重を建物内側方向に流すことによって建物外側方向への基礎スラブの延出寸法を小さく抑えながらも建物荷重を分散して伝達させることができ、地反力に対抗する梁とみなせる幅を狭く見積もり鉄筋の過密な配置を防ぐことができる。このように、構造計画上不利となることなく建物外周部における基礎スラブ１０の延出寸法を小さく抑えることが可能となるから、例えば隣地境界との間に十分な離間寸法が確保されない場合であっても、排水管等の配設に支障を来たさず施工することができるようになる。さらに、このような構造は、内部の鉄骨部材の防錆のために止水処理を施す場合にも好適である。具体例を挙げれば、コンクリート打設前に予めカバー材（一例として、板状断熱材）を型枠（堰板）代わりに起立させておき、基礎スラブ１０との密着度を向上させることにより、特段の止水処理を施さなくても、完全ではないにしろある程度の止水効果が期待できる状態とすることが可能である。さらには、ＲＣ部分や止水処理部分を地盤面から露出させないようにすることで、建物Ａの外観が好ましくなくなるのを回避することが可能である。例えば、基礎スラブ１０の下端まで覆うようカバー材（一例として、板状断熱材）を配置することで、外観上単一の材料で段差などもない、意匠的にも好ましい構成とすることが可能となる。
【００２５】
また、上述のごとき外周束２０に対し、該外周束２０の下フランジ２０ｂを固定するため基礎スラブ１０に設置されるアンカーボルト１１を、建物Ａの外周通り芯（１階床梁３０、１階柱４０の中心位置であり、具体的には外形（水平断面の外形）略正方形の柱の中心（図心））よりも当該建物Ａの内側寄りにオフセットさせてもよい。こうした場合、アンカーボルト１１の位置が建物Ａの内側寄りになり、アンカーボルト１１からの縁空き寸法（アンカーボルト１１から基礎スラブ１０の端縁までの寸法）が充分に確保されるので耐久性や強度の上で好ましい。
【００２６】
梁３０は例えばＨ形鋼（Ｉ形鋼と呼ばれるような形鋼を含む）からなり、その両端には先端部がＬ字に屈曲しボルト穴が形成されたガセットプレート３４が例えば溶接により接合されている（図４等参照）。梁３０には、通り上に配置される大梁（１階床梁）のみならず、床パネルを支持するために対向する大梁間に架け渡される小梁も含まれる。なお、小梁は大梁と他の小梁との間に架け渡される場合もある。
【００２７】
また、梁３０の上フランジ３０ａおよび下フランジ３０ｂにはモジュール柱を接合するためのボルトを挿通するボルト穴３０ｄがモジュールに基づくピッチで等間隔に穿設されている（図４等参照）。ボルト穴３０ｄは、平面視基準線の交点上に位置するよう穿設されている。また、ウェブ３０ｃにも他の梁３０を接合するためのボルトを挿通するボルト穴３０ｄがモジュールに基づくピッチで等間隔に穿設されている。さらに、梁３０のウェブ３０ｃには所定の間隔で大径の穴（一例として、直径１２５ｍｍ）３０ｅが穿設されている（図４等参照）。
【００２８】
梁（１階床梁）３０の端部どうしを接合する場合、本実施形態ではジョイントボックス２１を用いている（図４等参照）。ジョイントボックス２１は、平面視十字状のウェブ２１ｃの上下端に正方形の上フランジ２１ａおよび下フランジ２１ｂが溶接され構成されている。このジョイントボックス２１に梁３０を接合する場合は、梁３０のガセットプレート３４の２面を直交するウェブ２１ｃの２面に当接し、ガセットプレート３４の屈曲部のボルト穴及びこれに対応するジョイントボックス２１のボルト穴にボルトを挿通してボルト接合する。ひとつのジョイントボックスに対し、４方向から梁３０を接合することが可能である。
【００２９】
また、小梁（図４中において符号３０’で示す）を他の梁３０の中間部に接合する際には、ガセットプレート３４の屈曲部を当該中間部のウェブ３０ｃの面に当接させ、ボルト接合する。なお、上記構成は、上階における梁３０の構成と共通するものである。
【００３０】
柱４０は、通りと通りに直交する基準線との交点に配置され、上下端部がジョイントボックス２１または梁３０の中間部の上下フランジ３０ａ，３０ｂのボルト穴３０ｄを用いて接合される（図８参照）。
【００３１】
耐力要素４１は、所定の間隔（例示すれば、６１０ｍｍ、９１５ｍｍなど）で配置された２本の柱４０の内側面にボルト接合される。耐力要素４１は例えば筋交い（クロスフレーム）等で構成される（図８参照）。
【００３２】
水平ブレース（補剛材）３１は、１階の床構面に設置されて、コンクリート打設作業時等における梁３０等の変形を抑制する（図５等参照）。床構面に設置された水平ブレース３１は、そのまま建物完成後の１階床の面内剛性を確保する部材となる。このような水平ブレース３１を梁３０の上端付近に直接または火打３５を介して取り付けることとすれば、梁３０等の変形抑止効果と、基礎形成時の作業性・床下利用性とをさらに向上させることが可能である（図１０、図１１参照）。なお、ここで例示する水平ブレース３１の他、火打梁（火打土台、火打金物）等を補剛材として用いることも可能である。
【００３３】
建物Ａの外周部には、基礎スラブ１０の端縁および外周部の梁３０に沿ってカバー材が取り付けられている。本実施形態の場合、カバー材は、合成樹脂発泡体からなる板状断熱材（発泡ポリスチレンフォーム等）１４、板状断熱材１４の表面に塗布された樹脂モルタル等からなる。本実施形態では、板状断熱材１４の上端を、梁３０に係止された保持具（図示省略）にて保持し、コンクリート打設の際のコンクリートによる側圧に対し梁３０に反力を持たせて対抗させるようにしている（図９、図１０参照）。板状断熱材（カバー材）１４は、基礎スラブ１０の外周における型枠（堰板）機能を兼ねることができる。保持具は、コンクリート打設の際の仮の部材でも、恒久的な部材でもよい。なお、符号３２は外壁パネルの受け金物である（図９参照）。本実施形態の受け金物３２は断面が逆Ｔ字形状であり、先端が斜め下方に屈曲してシーリング材が充填できるようになっている。
【００３４】
板状断熱材１４は、基礎スラブ１０のコンクリートの型枠（堰板）を兼ねたものであり、コンクリート打設前に予め設置される（図６参照）。したがってこの板状断熱材１４の下端のレベルは基礎スラブ１０の下端のレベルと同一となっている（図９等参照）。板状断熱材１４を予め設置することによってコンクリートとの密着度が高まり更に基礎スラブ１０の上端レベルが地盤面より高く設定されているので、建物Ａの内部への水の浸入を抑制することができる。また基礎スラブ１０の端縁部が露出しないので意匠的に好ましい。さらには、設備配管等を貫通させる場合、容易に加工ができるといった利点もある。
【００３５】
なお、板状断熱材１４と梁３０との間には、板状断熱材１４の上端部の建物内部側への倒れを防止する間隔保持具１５が介在している。間隔保持具１５としては、板状断熱材１４と同じ材質の部材を採用することができる。
【００３６】
続いて、建物Ａの基礎の施工手順について一例を挙げつつ以下に説明する。
【００３７】
まず、地盤を根伐り（根切り）し、砕石１７を敷きつめ転圧する（図１参照）。根伐り底における束位置（束２０が設置される位置）にＰＣ（プレキャストコンクリート）板１６を設置する（図１参照）。ＰＣ板１６にアンカーボルト１１の定着板１８を固定したら、該定着板１８にアンカーボルト１１を固定する（図１参照）。
【００３８】
続いて、鉄筋１２を配筋する（図２参照）。本実施形態において基礎梁とみなしている部分（通りに沿った所定の幅の範囲）には、算定された配筋量に応じて鉄筋１２が密に配筋される。
【００３９】
その後、束２０をアンカーボルト１１に設置する（図３参照）。まず、アンカーボルト１１に、束２０を仮支持するための下部ナットをねじ入れ、束２０のレベル（高さ）等を調整する。続いて、束２０の下フランジ２０ｂのボルト穴にアンカーボルト１１を挿通し、更に上部ナットをねじ入れ、束２０を固定する（図９等参照）。
【００４０】
なお、図９と図１０とでは、アンカーボルト１１と下フランジ２０ｂとの接合が異なっている。すなわち、図９では、外周束２０に対するアンカーボルト１１の位置が図１０の場合よりもオフセットしているため、アンカーボルト１１が外周束２０のウェブ２０ｃ（末広がり状のウェブ２０ｃと直交しているウェブ）と干渉してしまい、図１０のように下フランジ２０ｂの下ボルト穴２０ｅにアンカーボルト１１を挿通して下フランジ２０ｂの上からナットで締結するという方法をとることができない。そこで、このような場合には、下フランジ２０ｂに貫通しないタップ穴を設けてこれにアンカーボルト１１をねじ込んで固定するようにしている（図９参照）。
【００４１】
続いて、束２０の上に梁３０を載置し、ボルトおよびナットを用いて固定する（図４参照）。
【００４２】
次に、基礎の外周部に板状断熱材１４を起立させる。さらに、板状断熱材１４の外面に沿って間隔保持具１５を設ける（図６参照）。
【００４３】
さらに、１階床構面に水平ブレース３１等の補剛材を取り付け、梁３０の対角寸法を確認するなどして梁位置の調整（ゆがみの補正）を行う（図５参照）。上述したように、構面の高い位置に水平ブレース（補剛材）３１を設置することが好ましいが、梁３０の上フランジ３０ａのレベルを越えると床パネルの敷設の邪魔となるので工夫が必要である。例えば、仮の水平ブレースで梁位置を調整した後に火打ち梁等で固定する等の手順を採用してもよい。
【００４４】
その後、コンクリートを打設する（図７参照）。本実施形態では、束２０の下端レベルに合わせてコンクリートを打設する（図９等参照）。コンクリートの養生後、梁上部躯体（１階柱４０等）を設置することができる（図８参照）。
【００４５】
なお、コンクリートの打設工程の前に、梁３０を利用して作業床（道板）３３を掛止してもよい（図７参照）。梁３０を利用して作業床３３を掛け渡すことで打設・仕上げ時に作業者がコンクリート中に足を踏み入れなくて済み、現場を汚さない上に仕上げ時に足跡を消すという作業が不要になる。なお、当該作業床３３を梁３０の下フランジ３０ｂに掛け渡すとウェブ３０ｃで長手方向の移動が拘束され、ずれ落ちないようにより確実に掛止することができる。
【００４６】
本実施形態にかかる建物Ａの施工方法によれば、アンカーボルト（アンカーフレーム）１１によって束２０を支持し、予め位置決めされた状態の該束２０で基礎を形成することができるので、梁３０の撓み等の影響を受けにくい構造とし、基礎を高い精度で施工することができる。このような施工方法によれば、鉄骨基礎のメリット（天端精度調整のしやすさ、柱４０等の設置位置の自由度が高い、根入れが浅くできる等）はそのままに、必要作業を減らし工期を短縮しつつ、施工精度を向上させることができる。
【００４７】
なお、上述の実施形態は本発明の好適な実施の一例ではあるがこれに限定されるものではなく本発明の要旨を逸脱しない範囲において種々変形実施可能である。例えば上述した実施形態では、束２０を基礎スラブ１０に固定する方法としてアンカーボルト１１を利用したが、これに替え、埋め込み式のナットとボルトによって該束２０を固定するように構成することもできる。このように構成した場合、ボルトを取りはずすことで束２０の横方向の拘束をするものがなくなり、例えば増改築に伴って柱を移動、追加する際に、束２０についても容易に撤去することができる。半閉塞ボルト穴を形成し、ナットを緩めることにより束２０を横方向に移動しうるように構成することもできる。こうした場合、当該束２０を容易に撤去することができるから、束２０の移動（または新設）が予定される所定の位置に予めアンカーボルト１１を埋設しておくか、あるいは後施工することによって当該２０の移動（または新設）を可能とすることができる。
【００４８】
また、この場合における移動先（または新設部分）での束２０の基礎スラブ１０への固定は、移動（または新設）が想定される位置に予め埋め込み式ナットを埋設しておくか、あるいは後施工してこれらを利用するようにしてもよい。埋め込み式ナットを後施工した場合であっても、布基礎の立ち上り部に比べて広い面に施工できるので、穿孔作業時に基礎の縁が欠け落ちたりすることが少ないため施工がしやすく、引き抜き強度も大きくすることができる。
【００４９】
また、束２０に替えて免震支承等を基礎スラブ１０と梁３０との間に介在させることで、容易に免震構造化することができる。
【００５０】
また、上述した実施形態では、ウェブ２０ｃが末広がり状に形成されたオフセット形状の束２０として、斜辺が直線状である外周束を例示したが（図１２、図１３等参照）、これは一例にすぎず、当該斜辺の縁が曲線状であっても構わない。要は、１階柱４０から伝達される建物荷重を建物内側方向に流すことによって基礎スラブ１０のより広い範囲に荷重を分散させうる構造であれば、ウェブ２０ｃの形状等は特に限定されることはない。
【００５１】
なお、建物Ａの外周部の１階床梁３０に鉛直方向に荷重が作用した際に、該１階床梁３０が弱軸方向に変形する（すなわち、外周束２０で拘束されていない１階床梁３０の上側が外方向に倒れる方向に変形する）可能性がある。このような場合、例えば断面コ字状（チャネル形状）で、その幅方向の中心において上下フランジ５０ａ、５０ｂとウェブ５０ｃに内接するリブ状の補剛材５０ｄを備えた弱軸補強部材５０を１階床梁３０の上下フランジ３０ａ，３０ｂとウェブ３０ｃの内側に接するようにボルト接合することにより、１階床梁３０の変形を抑制することができる（図１４参照）。
【００５２】
更には、以下のように構成することも可能である。すなわち、弱軸補強部材５０の下フランジ５０ｂ及び補剛材５０ｄを１階床梁３０の下フランジ３０ｂよりも延出させるとともに、外周束２０の上下フランジ２０ａ，２０ｂ及びウェブ２０ｃを弱軸補強部材５０の下フランジ５０ｂの延出寸法に対応させて建物内側方向に延出させる。なお、弱軸補強部材５０の下フランジ５０ｂには、外周束２０の上フランジ２０ａの延出部分と密着するように１階床梁３０の下フランジ３０ｂの厚さに対応した段差を設けておく（図１５参照）。このように構成することにより、外周束２０のオフセット量を増大させることができる。
【００５３】
また、上述した実施形態においては、アンカーボルト１１が外周束２０に対して、外周束２０及び１階床梁３０の浮き上がり（水平力が作用した際に耐力要素４１が接合された２本の柱４０のうち水平力の作用方向とは反対側にある柱４０には上向きの力が作用し、これによって１階床梁３０に上方向に引き上げられる力が作用する際の当該作用）を拘束するように接合されているが、１階床梁３０の浮き上がりを拘束せず水平方向の移動のみを拘束するように構成する（例えば、図９の構成において外周束２０の下フランジ２０ｂのタップ穴をルーズなボルト穴に置き換えたり、図１０の構成においてナットでの締結を取りやめたりするなどして、アンカーボルト１１が外周束２０の下フランジ２０ｂのボルト穴に遊嵌した状態とする）ことも可能である。このように構成することで、アンカーボルト１１に引き抜き力が作用した際に基礎スラブ１０にせん断力が作用しないようにすることができ、これによって鉄筋量やスラブ厚を低減させることができるなど、基礎スラブ１０の設計上有利となる。
【産業上の利用可能性】
【００５４】
本発明は、鉄筋コンクリート造建物の基礎スラブの上面に設置される鋼製の束、および当該束を備える建物に適用して好適である。
【符号の説明】
【００５５】
１０…基礎スラブ、１１…アンカーボルト、１２…鉄筋、２０…束（外周束）、２０ａ…上フランジ、２０ｂ…下フランジ、２０ｃ…ウェブ、３０…１階床梁、４０…１階柱、Ａ…建物
【図１】
2011241547.tif 000003
【図２】
2011241547.tif 000004
【図３】
2011241547.tif 000005
【図４】
2011241547.tif 000006
【図５】
2011241547.tif 000007
【図６】
2011241547.tif 000008
【図７】
2011241547.tif 000009
【図８】
2011241547.tif 000010
【図９】
2011241547.tif 000011
【図１０】
2011241547.tif 000012
【図１１】
2011241547.tif 000013
【図１２】
2011241547.tif 000014
【図１３】
2011241547.tif 000015
【図１４】
2011241547.tif 000016
【図１５】
2011241547.tif 000017